(57)【要約】【課題】浴室内の洗浄機能を有する浴室暖房乾燥機において、浴室洗浄性能を向上させた浴室暖房乾燥機を提供することを目的としている。【解決手段】洗浄液貯蔵部１６からミスト発生器１１に供給された洗浄液をミスト発生器１１に供給し、ミスト発生器１１を作動させて洗浄液を微粒子化させて洗浄ミストを生成し、ミスト加熱部１４によって洗浄ミストを加熱して、洗浄ミストの洗浄成分を活性化させ、ミスト吹出口１３から加圧ポンプ１２によって洗浄ミストを加圧させて洗浄ミストを浴室１内に供給し、前記浴室１内の汚れに作用させて所定時間放置した後、洗浄液切替弁１７を切替えて洗浄液を清水として、ミスト発生器１１を作動させずに加圧ポンプ１２によって給湯器３からの温水を加圧しミスト吹出口１３から浴室１内の多方面に吹出すことで浴室１内を洗浄し、浴室洗浄性能を向上させた浴室暖房乾燥機を提供することができる。【選択図】図１
2008064336.tif 000002
【特許請求の範囲】
【請求項１】
洗浄液を微粒子化した洗浄ミストを浴室内に供給し、所定時間後に前記洗浄液を散布する浴室洗浄運転を特徴とした浴室暖房乾燥機。
【請求項２】
洗浄液を貯蔵する洗浄液貯蔵手段を備えたことを特徴とした請求項１に記載の浴室暖房乾燥機。
【請求項３】
洗浄液を加熱する加熱手段を備えたことを特徴とする請求項１に記載の浴室暖房乾燥機。
【請求項４】
洗浄液の種類を切替可能な洗浄液切替手段を備えたことを特徴とする請求項１に記載の浴室暖房乾燥機。
【請求項５】
洗浄液を清水とすることを特徴とする請求項１から４いずれかに記載の浴室暖房乾燥機。
【請求項６】
浴室洗浄運転後、浴室内を乾燥させる乾燥運転をすることを特徴とする請求項１に記載の浴室暖房乾燥機。
【請求項７】
浴室洗浄運転後の乾燥運転をした後に、浴室内の温度を低下させる涼風運転をすることを特徴とする請求項１または６に記載の浴室暖房乾燥機。
【請求項８】
浴室洗浄運転を使用者に促す浴室洗浄運転お知らせ手段を備えたことを特徴とする請求項１に記載の浴室暖房乾燥機。
【請求項９】
浴室内の人を感知する人感知手段を備え、浴室内に人を感知しなくなると、浴室洗浄運転お知らせ手段により前記浴室洗浄運転を使用者に促す構成にした請求項８に記載の浴室暖房乾燥機。
【請求項１０】
浴室の使用時間を積算する浴室使用積算手段を備え、浴室の使用時間が一定値以上になると、浴室洗浄お知らせ手段により浴室洗浄運転を使用者に促す構成にした請求項８に記載の浴室暖房乾燥機。
【請求項１１】
浴室使用積算手段により、浴室の使用時間が一定値以上になると、前記浴室洗浄運転を自動的に実行するように構成した請求項１または１０に記載の浴室暖房乾燥機。
【請求項１２】
人感知手段により、浴室内に人を感知すると、浴室洗浄運転を制御することを特徴とする請求項１または９に記載の浴室暖房乾燥機。
【請求項１３】
所定時間を設定可能に構成したことを特徴とした請求項１に記載の浴室暖房乾燥機。
【発明の詳細な説明】
【技術分野】
【０００１】
本発明は、浴室の天井又は側壁に設置し、特に浴室の洗浄機能を備えた浴室暖房乾燥機に関する。なお、以下の文で、熱源としてガスあるいは石油をエネルギー源とする熱源機により空気を加熱するものを例にとって説明するが、熱源としてヒーターにより空気を加熱する電気式のものも本発明の対象である。
【背景技術】
【０００２】
従来、各種の機能を備えた浴室暖房乾燥機が知られている。この浴室暖房乾燥機は浴室内の空気を換気する換気手段と、浴室内の空気を循環させる循環手段と、浴室内に供給する空気を加熱する加熱手段とを有し、これら加熱手段、循環手段及び換気手段を制御することによって、各種機能を備えた浴室暖房乾燥機として広く使用されている。更に、この浴室暖房乾燥機にサウナ機能を持たせる為に、ミスト発生器を備え、ミスト発生器から多湿空気を浴室内に供給することで、浴室内の入浴者がサウナ効果を得ることができるようにしたものが利用されている。更に、洗浄成分を含有する洗浄液を浴室内に供給することで、浴室内を洗浄するようにしたものが提案されている（例えば、特許文献１参照）。
【特許文献１】特開２００２−８１８６１号公報
【発明の開示】
【発明が解決しようとする課題】
【０００３】
浴室内の清掃は、非常にわずらわしく、多くの時間が費やされるとともに、コマ目に清掃をしないと入浴者のアカや皮膚の老廃物が浴室内に残り、これを培地としてカビ等が発生し浴室内が汚染されてしまう。また、少量でも浴室内にカビ等の培地となりうる汚れが残されていると浴室内が汚染されてしまうため、この浴室内の汚れを除去するために、十分浴室内を洗浄させる機能を有した浴室暖房乾燥機が望まれていた。
【０００４】
本発明は上述の課題を解決するためになされたもので、浴室内の洗浄機能を有する浴室暖房乾燥機において、洗浄成分を含んだ洗浄ミストを浴室内に供給し、汚れに作用させて汚れを分解、除去しやすくした後に、続いて洗浄液で浴室内を洗浄することによって、浴室洗浄性能を向上させた浴室暖房乾燥機を提供することを目的としている。
【課題を解決するための手段】
【０００５】
本発明の浴室暖房乾燥機は上記の目的を達成するために、洗浄液を微粒化した洗浄ミストを前記浴室内に供給し、所定時間後に前記洗浄液を散布する浴室洗浄運転を特徴としている。
【０００６】
この手段により、浴室内の汚れに対して洗浄成分を含んだ洗浄ミストを作用させて汚れを分解、除去しやすくした後に、続いて洗浄液で浴室内を洗浄する浴室洗浄運転を行うことによって、浴室の洗浄性能を向上させた浴室暖房乾燥機を提供することができる。
【０００７】
また、本発明の浴室暖房乾燥機は、洗浄液を貯蔵する洗浄液貯蔵手段を備えたことを特徴としている。
【０００８】
この手段により、浴室内に供給する洗浄液を貯蔵することが可能な浴室暖房乾燥機を提供することができる。
【０００９】
また、本発明の浴室暖房乾燥機は、洗浄液を加熱する加熱手段を備えたことを特徴としている。
【００１０】
この手段により、洗浄液を加熱することで洗浄液の洗浄成分は活性化されるため、浴室の洗浄性能を向上させた浴室暖房乾燥機を提供することができる。
【００１１】
また、本発明の浴室暖房乾燥機は、洗浄液の種類を切替可能な洗浄液切替手段を備えたことを特徴としている。
【００１２】
この手段により、洗浄液の種類を切替えることで、浴室の汚れに応じた洗浄液を浴室内に供給することにより、洗浄性能を向上させた浴室暖房乾燥機を提供することができる。
【００１３】
また、本発明の浴室暖房乾燥機は、前記洗浄液を清水とすることを特徴としている。
【００１４】
この手段により、洗浄液を清水とすることにより、浴室内のすすぎ洗いを行うことが可能な浴室暖房乾燥機を提供することができる。
【００１５】
また、本発明の浴室暖房乾燥機は、前記浴室洗浄運転後、浴室内を乾燥させる乾燥運転をすることを特徴としている。
【００１６】
この手段により、前記浴室洗浄運転によって前記浴室内が洗浄された後に、乾燥運転をして浴室内を乾燥状態にすることによって、カビ等の発生を防止し、浴室内を清潔に保つことが可能な浴室暖房乾燥機を提供することができる。
【００１７】
また、本発明の浴室暖房乾燥機は、前記浴室洗浄運転後、前記乾燥運転をした後に、浴室内の温度を低下させる涼風運転をすることを特徴としている。
【００１８】
この手段により、浴室洗浄運転によって浴室内を洗浄した後に前記乾燥運転を行い浴室内の温度が上昇しているため、涼風運転をすることにより、浴室内の温度を適当な温度に下げることが可能な浴室暖房乾燥機を提供することができる。
【００１９】
また、本発明の浴室暖房乾燥機は、浴室洗浄運転を使用者に促す浴室洗浄運転お知らせ手段を備えたことを特徴としている。
【００２０】
この手段により、浴室の使用者に浴室洗浄運転を行うことを促し、使用者が浴室洗浄運転を行うことによって、浴室内を洗浄する清潔に保つことが可能な浴室暖房乾燥機を提供することができる。
【００２１】
また、本発明の浴室暖房乾燥機は、前記浴室内の人を感知する人感知手段を備え、前記浴室内の人を検知しなくなると前記浴室洗浄お知らせ手段により前記浴室洗浄運転を使用者に促す構成にしたことを特徴としている。
【００２２】
この手段により、使用者の入浴終了を判別し、前記浴室洗浄お知らせ手段により、入浴者が浴室洗浄運転をすることを促され、入浴終了後直ちに使用者が浴室洗浄運転を行うことにより、浴室内を清潔に保つことが可能な浴室暖房乾燥機を提供することができる。
【００２３】
また、本発明の浴室暖房乾燥機は、前記浴室の使用時間を積算する浴室使用積算手段を備え、前記浴室の使用時間が一定値以上になると、前記浴室洗浄お知らせ手段により前記浴室洗浄運転を使用者に促す構成したことを特徴としている。
【００２４】
この手段により、浴室の使用者が浴室洗浄運転を長期間行わず、浴室内の汚れがひどくなってきた場合に、浴室の使用者に浴室洗浄運転を行うことを促すことで、浴室内を清潔に保つことが可能な浴室暖房乾燥機を提供することができる。
【００２５】
また、本発明の浴室暖房乾燥機は、前記浴室使用積算手段により、前記浴室の使用時間が一定値以上になると、前記浴室洗浄お知らせ手段により使用者に浴室洗浄運転を促すとともに前記浴室洗浄運転を自動的に実行するように構成したことを特徴としている。
【００２６】
この手段により、長期間浴室洗浄運転を実行していない場合においても、使用者に浴室洗浄運転を促すとともに前記浴室洗浄運転を自動的に実行することにより、浴室内を清潔に保つことが可能な浴室暖房乾燥機を提供することができる。
【００２７】
また、本発明の浴室暖房乾燥機は、前記人感知手段により、前記浴室内に人を感知すると、前記浴室洗浄運転を制御することを特徴としている。
【００２８】
この手段により、浴室洗浄運転中に使用者が浴室内に入室した際に、浴室洗浄運転を直ちに停止し、また、浴室に人がいる場合に、浴室洗浄運転を実行不可能にすることにより、浴室の使用者へ洗浄液がかかるといった不安全を抑制することが可能な浴室暖房乾燥機を提供することができる。
【００２９】
また、本発明の浴室暖房乾燥機は、前記所定時間を設定可能に構成したことを特徴としている。
【００３０】
この手段により、浴室内の汚れの度合いに応じて、洗浄ミストを汚れに作用させる時間を調整することで、毎回の浴室使用時には洗浄ミストを短時間に浴室の汚れに作用させ浴室洗浄を行い、定期的に浴室を十分に洗浄を行う場合には、洗浄ミストを長時間浴室の汚れに作用させることが可能であり、洗浄性能と使用者の利便性向上を図る浴室暖房乾燥機を提供することができる。また、浴室内の材質に応じて、洗浄ミストを汚れに作用させる時間を調整することで、浴室内の材質が汚れの付着しにくい材質で構成されている場合は、洗浄ミストを汚れに作用させる時間を少なくし、浴室洗浄時間を短縮することで、使用者の利便性の向上を図る浴室暖房乾燥機を提供することができる。
【発明の効果】
【００３１】
本発明によれば、浴室内の洗浄機能を有する浴室暖房乾燥機において、洗浄成分を含んだ洗浄ミストを浴室内の汚れに作用させて汚れを分解、除去しやすくした後に、続いて洗浄液で浴室内を洗浄することによって、浴室洗浄性能を向上させた浴室暖房乾燥機を提供することができる。
【発明を実施するための最良の形態】
【００３２】
本発明の請求項１記載の浴室暖房乾燥機は、洗浄液を微粒化した洗浄ミストを前記浴室内に供給し、所定時間後に前記洗浄液を散布する浴室洗浄運転を特徴とする浴室暖房乾燥機であり、浴室内の汚れに対して洗浄成分を含んだ洗浄ミストを作用させて汚れを分解、除去しやすくした後に、続いて洗浄液で浴室内を洗浄する浴室洗浄運転を行うことによって、浴室の洗浄性能を向上させるという作用を有する。
【００３３】
本発明の請求項２記載の浴室暖房乾燥機は、洗浄液を貯蔵する洗浄液貯蔵手段を備えたことを特徴とする請求項１に記載の浴室暖房乾燥機であり、浴室内に供給する洗浄液を貯蔵するという作用を有する。
【００３４】
本発明の請求項３記載の浴室暖房乾燥機は、洗浄液を加熱する加熱手段を備えたことを特徴とする請求項１に浴室暖房乾燥機であり、洗浄液を加熱することで洗浄液の洗浄成分を活性化させ、浴室の洗浄性能を向上させるという作用を有する。
【００３５】
本発明の請求項４記載の浴室暖房乾燥機は、洗浄液の種類を切替可能な洗浄液切替手段を備えたことを特徴とする請求項１に記載の浴室暖房乾燥機であり、洗浄液の種類を切替えることで、浴室の汚れに応じた洗浄液を浴室内に供給することにより、洗浄性能を向上させるという作用を有する。
【００３６】
本発明の請求項５記載の浴室暖房乾燥機は、前記洗浄液を清水とすることを特徴とする請求項１から４いずれかに浴室暖房乾燥機であり、洗浄液を清水とすることにより、浴室内のすすぎ洗いを行うという作用を有する。
【００３７】
本発明の請求項６記載の浴室暖房乾燥機は、前記浴室洗浄運転後、浴室内を乾燥させる乾燥運転をすることを特徴とする請求項１に記載の浴室暖房乾燥機であり、前記浴室洗浄運転によって前記浴室内が洗浄された後に、乾燥運転をして浴室内を乾燥状態にすることによって、カビ等の発生を防止し、浴室内を清潔に保つという作用を有する。
【００３８】
本発明の請求項７記載の浴室暖房乾燥機は、前記浴室洗浄運転後、前記乾燥運転をした後に、浴室内の温度を低下させる涼風運転をすることを特徴とする請求項１または６に記載の浴室暖房乾燥機であり、浴室洗浄運転によって浴室内を洗浄した後に前記乾燥運転を行い浴室内の温度が上昇しているため、涼風運転をすることにより、浴室内の温度を適当な温度に下げるという作用を有する。
【００３９】
本発明の請求項８記載の浴室暖房乾燥機は、前記浴室洗浄運転を使用者に促す浴室洗浄運転お知らせ手段を備えたことを特徴とする請求項１に記載の浴室暖房乾燥機で、浴室の使用者に浴室洗浄運転を行うことを促し、使用者が浴室洗浄運転を行うことによって、浴室内を洗浄する清潔に保つ作用を有する。
【００４０】
本発明の請求項９記載の浴室暖房乾燥機は、前記浴室内の人を感知する人感知手段を備え、前記浴室内の人を検知しなくなると前記浴室洗浄お知らせ手段により前記浴室洗浄運転を使用者に促す構成にしたことを特徴とする請求項１または８に記載の浴室暖房乾燥機で、使用者の入浴終了を判別し、前記浴室洗浄お知らせ手段をにより、入浴者が浴室洗浄運転をすることを促され、入浴終了後直ちに使用者が浴室洗浄運転を行うことにより、浴室内を清潔に保つ作用を有する。
【００４１】
本発明の請求項１０記載の浴室暖房乾燥機は、前記浴室の使用時間を積算する浴室使用積算手段を備え、前記浴室の使用時間が一定値以上になると、前記浴室洗浄お知らせ手段により前記浴室洗浄運転を使用者に促す構成したことを特徴とする請求項１または８に記載の浴室暖房乾燥機で、浴室の使用者が浴室洗浄運転を長期間行わず、浴室内の汚れがひどくなってきた場合に、浴室の使用者に浴室洗浄運転を行うことを促すことで、浴室内を清潔に保つ作用を有する。
【００４２】
本発明の請求項１１記載の浴室暖房乾燥機は、前記浴室の使用時間を積算する浴室使用積算手段を備え、前記浴室の使用時間が一定値以上になると、前記浴室洗浄お知らせ手段により使用者に浴室洗浄運転を促すとともに前記浴室洗浄運転を自動的に実行するように構成したことを特徴する請求項１または１０記載の浴室暖房乾燥機で、浴室の使用者が浴室洗浄運転を長期間行わず、浴室内の汚れがひどくなってきた場合に、浴室の使用者に浴室洗浄運転を促すとともに、浴室洗浄運転を自動的に実行し、浴室内を清潔に保つ作用を有する。
【００４３】
本発明の請求項１２記載の浴室暖房乾燥機は、前記人感知手段により、前記浴室内に人を感知すると、前記浴室洗浄運転を制御することを特徴とする請求項１または９に記載の浴室暖房乾燥機で、浴室洗浄運転中に使用者が浴室内に入室した際に、浴室洗浄運転を直ちに停止し、また、浴室に人がいる場合に、浴室洗浄運転を実行不可能にすることにより、使用者へ洗浄液がかかるといった不安全を抑制する作用を有する。
【００４４】
本発明の請求項１３記載の浴室暖房乾燥機は、前記所定時間を設定可能に構成したことを特徴とする請求項１記載の浴室暖房乾燥機で、浴室内の汚れの度合いに応じて、洗浄ミストを汚れに作用させる時間を調整することで、毎回の浴室使用時には洗浄ミストを短時間に浴室の汚れに作用させ浴室洗浄を行い、定期的に浴室を十分に洗浄を行う場合には、洗浄ミストを長時間浴室の汚れに作用させることが可能であり、洗浄性能と使用者の利便性向上を図る浴室暖房乾燥機を提供することができる。また、浴室内の材質に応じて、洗浄ミストを汚れに作用させる時間を調整することで、浴室内の材質が汚れの付着しにくい材質で構成されている場合は、洗浄ミストを汚れに作用させる時間を少なくし、浴室洗浄時間を短縮することで、使用者の利便性の向上を図るという作用を有する。
【００４５】
以下、本発明の実施の形態について図面を参照しながら説明する。
【００４６】
（実施の形態１）
図１は本発明の実施の形態における浴室暖房乾燥機の構成を示す図である。図１は、本発明の浴室暖房乾燥機が設置された浴室の１つの実施形態を示す概略構成図であり、図２は、図１の浴室暖房乾燥機を浴室洗浄運転のモードで運転したときの動作を示すフローチャートである。
【００４７】
図１において、浴室１の天井に浴室暖房乾燥機本体２が設置されており、浴室外には熱源として給湯器３（例えば、ガス給湯器または電気給湯器）が設置されている。この浴室暖房乾燥機本体２には浴室内の空気を換気する換気手段としての換気ファン４と、浴室内の空気を循環させる循環手段としての循環ファン５と、浴室内に空気を吹出す吹出口６と、浴室内の空気を吸込む吸込口７と、浴室内の空気と温水とを熱交換させて空気を加熱する熱交換器８と、給湯器３から浴室暖房乾燥機本体２に温水を供給する温水供給路９と、給湯器３と熱交換器８との間に設けた熱動弁１０と、浴室内に供給する多湿空気を生成する手段としてのミスト発生器１１と、前記ミスト発生器１１を加熱する手段として給湯器３から供給される温水を利用したミスト加熱部１４と、前記温水供給路９に接続された前記ミスト発生器１１と前記ミスト加熱部１４とに供給する温水の供給を切替える温水切替弁１５と、浴室内に供給する洗浄液（例えば、酸性剤、アルカリ剤、酵素および漂白剤のうち少なくとも一つの成分を溶かしてなる洗浄液または、清水を電気分解して成る電解水）を貯蔵する洗浄液貯蔵部１６と、洗浄液の種類を切替可能な洗浄液切替手段として前記ミスト発生器１１に前記温水供給路９を通して供給される温水と前記洗浄液貯蔵部１６から供給される前記洗浄液とを切替える洗浄液切替弁１７と、前記ミスト発生器１１を作動させることによって微粒子化（例えば、ミクロンオーダー）された多湿空気および前記ミスト発生器１１を作動させないで前記ミスト発生器１１に供給された温水または前記洗浄液を加圧する加圧ポンプ１２と、前記加圧ポンプ１２によって加圧された前記多湿空気および温水または前記洗浄液を前記浴室１内の多方面に吹出し可能なミスト吹出口１３と、前記浴室暖房機本体２を制御するリモコン１８と、から構成されている。
【００４８】
図２のフローチャートに示すように、前記洗浄液貯蔵部１６から前記ミスト発生器１１に供給された洗浄液を前記ミスト発生器１１に供給し、前記ミスト発生器１１を作動させて前記洗浄液を微粒子化（例えば、ミクロンオーダー）させて洗浄ミストを生成し、前記ミスト加熱部１４によって前記洗浄ミストを加熱して、前記洗浄ミストの洗浄成分を活性化させ、前記ミスト吹出口１３から前記加圧ポンプ１２によって前記洗浄ミストを加圧させて前記洗浄ミストを前記浴室１内に供給し、前記浴室１内の汚れに作用させて所定時間（例えば、５分）放置した後、前記浴室１内の汚れを分解、除去しやすくしたのちに、前記洗浄液切替弁１７を前記給湯器３と前記ミスト発生器１１側とに切替えて前記洗浄液を清水として、前記ミスト発生器１１を作動させずに、前記加圧ポンプ１２によって前記給湯器３からの温水を加圧し前記ミスト吹出口１３から前記浴室１内の多方面に吹出すことで、前記浴室１内のすすぎ洗いを行い、前記浴室１内の前記浴室１内を洗浄する浴室洗浄運転を行う。
【００４９】
従って、本実施の形態により、洗浄成分を含んだ洗浄ミストを浴室内に供給し、汚れに作用させて汚れを分解、除去しやすくした後に、続いて洗浄液で浴室内を洗浄することによって、浴室洗浄性能を向上させた浴室暖房乾燥機を提供することができる。もちろん、洗浄液で洗浄後に、水道水等の清水で、浴室内を散布、または噴霧などにより、浴室内をすすぎ洗浄することは、差し支えない。
【００５０】
なお、実施の形態１では、浴室内に供給する洗浄液を貯蔵する洗浄液貯蔵部１６を１つ有する構成にしたが、複数の洗浄液貯蔵部を有する構成にしてもよく、また１つの洗浄液貯蔵部内に仕切りを設け、複数の洗浄液を有する構成にしてもよい。さらに、洗浄液の種類を切替可能な洗浄液切替手段として、前記ミスト発生器１１に前記温水供給路９を通して供給される温水と前記洗浄液貯蔵部１６から供給される前記洗浄液とを切替える洗浄液切替弁１７を設けたが、前記ミスト発生器１１に前記温水供給路９を通して供給される温水と複数の洗浄液貯蔵部とを切替える構成にしてもよい。このように構成すれば、浴室内の汚れに応じた洗浄液を浴室内に供給することができる。
【００５１】
なお、実施の形態１では、前記浴室洗浄運転を１サイクル実行する構成にしたが、複数回実行する構成にしてもよい。このように構成すれば、浴室内の汚れに応じて浴室内を洗浄することができる。
【００５２】
また、前記浴室洗浄運転の後に、前記換気ファン４の駆動により、前記吸込口７から吸込んだ前記浴室１内の空気を前記浴室１外に排出するとともに、前記循環ファン５の駆動により、前記吸込口７から吸込んだ前記浴室１内の空気を前記熱交換器８によって前記温水供給路９を通して前記給湯器３から供給された温水と熱交換して温風とし、前記吹出口６から前記浴室１内に温風を供給する乾燥運転によって、浴室内を乾燥状態にすることによって、カビ等の発生を防止し、浴室内を清潔に保つことができる。
【００５３】
また、前記浴室洗浄運転の後に、前記浴室洗浄運転後、前記乾燥運転をした後に、前記換気ファン４の駆動により、前記吸込口７から吸込んだ前記浴室１内の空気を前記浴室１外に排出するとともに、前記循環ファン５の駆動により、前記吸込口７から吸込んだ前記浴室１内の空気を前記吹出口６から前記浴室１内に循環させる涼風運転によって、前記浴室洗浄運転によって浴室内を洗浄した後に前記乾燥運転を行い浴室内の温度が上昇しているため、涼風運転をすることにより、浴室内の温度を適当な温度に下げることができる。
【００５４】
また、前記所定時間を浴室を使用する使用者が設定可能に構成することによって、浴室内の汚れの度合いに応じて、洗浄ミストを汚れに作用させる時間を調整することで、毎回の浴室使用時には洗浄ミストを短時間に浴室の汚れに作用させ浴室洗浄を行い、定期的に浴室を十分に洗浄を行う場合には、洗浄ミストを長時間浴室の汚れに作用させることが可能であり、洗浄性能と使用者の利便性向上を図ることができる。また、浴室内の材質に応じて、洗浄ミストを汚れに作用させる時間を調整することで、浴室内の材質が汚れの付着しにくい材質で構成されている場合は、洗浄ミストを汚れに作用させる時間を少なくし、浴室洗浄時間を短縮することで、使用者の利便性の向上を図ることができる。
【００５５】
さらに、実施の形態１の浴室暖房乾燥機は、前記浴室洗浄運転を使用者に促す浴室洗浄運転お知らせ手段として、前記リモコン１８に前記浴室洗浄運転を使用者に知覚させるお知らせ表示１９（例えば、ＬＥＤ）を設けている。
【００５６】
従って、浴室の使用者に浴室洗浄運転を行うことを促し、使用者が浴室洗浄運転を行うことによって、浴室内を洗浄し清潔に保つことができる。
【００５７】
なお、本実施の形態１では、前記浴室洗浄運転を知らせる表示をリモコン上で構成したが、前記リモコン１８にスピーカーを設け、音声で前記浴室洗浄運転を使用者に知らせる構成にしてもよい。また前記浴室暖房機本体２に直接前記浴室洗浄運転を知らせる表示またはスピーカーを設け、前記浴室洗浄運転を使用者に知らせる構成にしてもよい。このように構成すれば、光や音声を用いて浴室の使用者に適切に浴室洗浄運転を行うことを促し、使用者が浴室洗浄運転を行うことによって、浴室内を清潔に保つことができる。
【００５８】
さらに、実施の形態１の浴室暖房乾燥機は、前記浴室内の人を感知する人感知手段として人感センサ２０を備えている。この場合、図３に示すようなフローにて浴室洗浄運転を行ってもよい。前記浴室１内に人を検知し所定時間（例えば、５分）が経過した後に、前記浴室１内に人を感知しなくなると、前記お知らせ表示１９を点灯させるように構成されている。従って、浴室の使用者は、入浴終了後に前記お知らせ表示１９によって浴室洗浄運転を行うことを促され、浴室洗浄運転を行うことによって、浴室内を清潔に保つことができる。また、前記人感センサ２０によって、前記浴室１内に人を感知すると、前記浴室洗浄運転を制御するように構成されている。前記浴室１内に入浴者がいる場合に、別の浴室の使用者が浴室洗浄運転を開始するように指令を出しても、前記浴室洗浄運転は開始されず、前記お知らせ表示１９を点滅させて、前記別の浴室の使用者に浴室洗浄運転が開始されないことを知らせる。人感センサ２０としては、人を検知できればよく、例えば、焦電型赤外線センサなどがある。
【００５９】
また、浴室洗浄運転中に、浴室の使用者が浴室内に侵入すると前記浴室洗浄運転が直ちに停止し、前記お知らせ表示１９を点滅させて、前記浴室の使用者に浴室洗浄運転中であったこと知らせる。従って、浴室の使用者が入浴中に浴室洗浄運転が開始されることがなく、また浴室洗浄運転中に使用者が浴室内に入室した際に、浴室洗浄運転を直ちに停止し、浴室の使用者に洗浄液がかかったりすることがないようにできる。
【００６０】
なお、実施の形態１では、前記人感センサ２０を前記浴室１内天井に設けたが、浴室内であれば何処でもよい。このように構成すれば、浴室内の使用者を適切に把握することができる。
【００６１】
さらに、実施の形態１の浴室暖房乾燥機は、前記浴室の使用時間を積算する浴室使用積算手段として、積算メモリを備えており、この場合の図４に示すようなフローにて浴室洗浄運転を行ってもよい。前記浴室１の使用時間が積算メモリ内にあらかじめ設定された設定値Ａ（例えば１２０時間）以上になると、前記浴室洗浄お知らせ表示１９により前記浴室洗浄運転を使用者に促し、使用者が前記浴室洗浄運転を行うと、前記積算メモリをゼロクリアーして、再度浴室の使用時間を積算するように構成されている。さらに、浴室の使用者が浴室洗浄運転を行わず、前記積算メモリの値が設定値Ｂ（例えば２４０時間）以上になると、前記浴室洗浄お知らせ表示１９を点灯させて、自動的に前記浴室洗浄運転を行うように構成されている。
【００６２】
従って、浴室の使用者が浴室洗浄運転を長期間行わず、浴室内の汚れがひどくなってきた場合に、浴室の使用者に浴室洗浄運転を促すとともに、浴室洗浄運転を自動的に実行し、浴室内を清潔に保つ作用を有する。
【産業上の利用可能性】
【００６３】
本発明の浴室暖房乾燥機は、浴室内の洗浄機能を有する浴室暖房乾燥機において、洗浄成分を含んだ洗浄ミストを浴室内に供給し、汚れに作用させて汚れを分解、除去しやすくした後に、続いて洗浄液で浴室内を洗浄することによって、浴室洗浄性能を向上させた浴室暖房乾燥機を提供することができる。
【図面の簡単な説明】
【００６４】
【図１】本発明の実施の形態１の浴室暖房乾燥機を示す斜影図
【図２】本発明の実施の形態１の洗浄運転のフローの一例を示す図
【図３】本発明の実施の形態１の人感センサのフローの一例を示す図
【図４】本発明の実施の形態１の積算メモリのフローの一例を示す図
【符号の説明】
【００６５】
１    浴室
２    浴室暖房乾燥機本体
３    給湯器
４    換気ファン
５    循環ファン
６    吹出口
７    吸込口
８    熱交換器
９    温水供給路
１０  熱動弁
１１  ミスト発生器
１２  加圧ポンプ
１３  ミスト吹出口
１４  ミスト加熱部
１５  温水切替弁
１６  洗浄液貯蔵部
１７  洗浄液切替弁
１８  リモコン
１９  お知らせ表示
２０  人感センサ
【図１】
2008064336.tif 000003
【図２】
2008064336.tif 000004
【図３】
2008064336.tif 000005
【図４】
2008064336.tif 000006